(57)【要約】【課題】優れた省電力機能を実現した携帯情報処理装置を提供する。【解決手段】携帯情報処理装置に、各種機能を停止又は制限して電力の消費を抑えて動作時間の延長を図る省電力機能部と、本体の重力に対する姿勢を検出可能とする姿勢検出部と、省電力機能部を動作させる条件を本体の重力に対する姿勢に対応させて、設定情報として記憶保持する記憶部と、姿勢検出部から出力される姿勢に関する情報を取得して、記憶部に記録されている設定情報に基づいて、省電力機能部を制御する制御部とを設けた。【選択図】図１
2010262341.tif 000002
【特許請求の範囲】
【請求項１】
起動中に、各種機能を停止又は制限して電力の消費を抑えて動作時間の延長を図る省電力機能部と、
本体の重力に対する姿勢を検出可能とする姿勢検出部と、
前記省電力機能部を動作させる条件を前記本体の重力に対する姿勢に対応させて、設定情報として記憶保持する記憶部と、
前記姿勢検出部から出力される姿勢に関する情報を取得して、前記記憶部に記録されている設定情報に基づいて、前記省電力機能部を制御する制御部と
を備ることを特徴とする携帯情報処理装置。
【請求項２】
前記制御部は、前記姿勢検出部から姿勢に関する情報を取得し、前記記憶部に記録されている設定情報に基づいて、前記省電力機能部を動作させると共に、使用者の操作を受け付ける入力部からの入力があるまで、前記姿勢に関する情報を用いて行なう動作を停止する姿勢検出停止部を動作させる
ことを特徴とする請求項１記載の携帯情報処理装置。
【請求項３】
前記設定情報は、使用者又はアプリケーションプログラムの作成者によって設定可能な領域を有し、
前記制御部は、使用者又はアプリケーションプログラムの作成者によって設定された設定情報に基づいて、前記省電力機能部を制御する
ことを特徴とする請求項１又は２記載の携帯情報処理装置。
【請求項４】
前記設定情報は、使用者又はアプリケーションプログラムの作成者によって設定可能であるアプリケーションプログラム毎の領域を有し、
前記制御部は、アプリケーションプログラム毎に設定された設定情報を用いて前記省電力機能部を制御する
ことを特徴とする請求項１ないし３の何れか一記載の携帯情報処理装置。
【請求項５】
前記設定情報は、省電力モードに移行する動作を規定可能な領域を有し、
制御部は、前記姿勢に関する情報と前記設定情報に基づいて、重力方向に対して反対向きに、収納姿勢で水平に位置を保持されると、直ちに省電力モードに移行する
ことを特徴とする請求項１ないし４の何れか一記載の携帯情報処理装置。
【請求項６】
前記設定情報は、省電力モードに移行する動作を規定可能な領域を有し、
前記制御部は、前記姿勢に関する情報と前記設定情報に基づいて、所定時間内に、使用者によって使用する姿勢から収納姿勢に形態を変更して、且つ、所定の向き及び／又は加速度で重力方向に対して反対向きに姿勢を変更し、更に変更後の位置に水平に保持されると、直ちに設定情報に規定された省電力モードに移行する
ことを特徴とする請求項１ないし５の何れか一記載の携帯情報処理装置。
【請求項７】
前記設定情報は、省電力モードに移行する使用者の操作を規定可能な領域を有し、
前記制御部は、前記設定情報に記憶された操作と実際の操作を比較し、現在の操作に基づく使用状況から、省電力モードに移行する適切な姿勢を自動的に切り替える
ことを特徴とする請求項１ないし６の何れか一記載の携帯情報処理装置。
【請求項８】
前記設定情報は、使用者の操作を一時的に記憶する領域を有し、
前記制御部は、前記設定情報に記憶された使用者の操作を把握し、使用中のアプリケーションプログラムに対応した省電力モードに移行する姿勢を自動的に切り替える
ことを特徴とする請求項１ないし７の何れか一記載の携帯情報処理装置。
【請求項９】
前記制御部は、使用者に対して表示部を縦又は横に使用するように画面を切替えて表示する場合に、前記姿勢検出部のセンサ出力値を、表示画面の切り替え方向に対応させたように値を補正する姿勢検出補正部を動作させて、補正された姿勢に関する情報を読み替えて姿勢を識別する
ことを特徴とする請求項１ないし８の何れか一記載の携帯情報処理装置。
【請求項１０】
前記制御部は、使用者に対して表示部を縦又は横に使用するように画面を切替えて表示する場合に、前記姿勢検出部のセンサ出力値を、表示画面の切り替えに対応させるように電気回路的に配線を切り替える姿勢検出補正部を動作させて、補正された姿勢に関する情報を読み替えて姿勢を識別する
ことを特徴とする請求項１ないし８の何れか一記載の携帯情報処理装置。
【請求項１１】
前記設定情報は、表示画面向きに対応した前記省電力機能部を動作させる条件を規定可能な領域を有し、
前記制御部は、使用者に対して表示画面向きを切替える場合に、形態と表示画面向きを識別し、識別した形態と表示画面向きに対応させて姿勢を識別する
ことを特徴とする請求項１ないし１０の何れか一記載の携帯情報処理装置。
【請求項１２】
前記設定情報は、表示画面向きに対応した前記省電力機能部を動作させる条件を規定可能な領域を有し、
前記制御部は、使用者に対して表示部を横長に使用するように画面を表示した場合に、前記姿勢検出部のセンサ出力値を、使用者に対して表示部を縦長に使用するように画面を表示した場合のセンサ出力値のＸ軸とＹ軸とを読み替えて姿勢を識別する
ことを特徴とする請求項１ないし１１の何れか一記載の携帯情報処理装置。
【請求項１３】
前記設定情報は、右利き用設定と左利き用設定に対応する領域を有し、
前記制御部は、予め使用者に右利き又は左利きの何れかを入力させて、選択された方の設定情報を用いて、前記省電力機能部を動作する
ことを特徴とする請求項１ないし１２の何れか一記載の携帯情報処理装置。
【請求項１４】
前記制御部は、前記入力部に対する所定時間中の使用者の操作を、記憶保持し、
前記所定時間中に入力された操作量に基づいて、前記省電力機能部の動作を補正して動作させる
ことを特徴とする請求項１ないし１３の何れか一記載の携帯情報処理装置。
【請求項１５】
前記制御部は、前記入力部に対する所定時間中の使用者の操作を、記憶保持し、
前記所定時間中に入力された操作量と入力を検出したときの前記姿勢検出部との出力に基づいて、前記省電力機能部の動作を補正して動作させる
ことを特徴とする請求項１ないし１３の何れか一記載の携帯情報処理装置。
【請求項１６】
前記設定情報は、傾斜に対応する燃料電池の発電量を記憶する領域を有し、
前記制御部は、前記姿勢検出部のセンサ出力値に基づいて、燃料電池の発電量を推定し、前記推定値に基づいて、使用可能な電力量を算出して前記省電力機能部を制御する
ことを特徴とする請求項１ないし１５の何れか一記載の携帯情報処理装置。
【請求項１７】
前記設定情報は、傾斜に対応する燃料電池の発電量を記憶する領域を有し、
前記制御部は、前記姿勢検出部のセンサ出力値に基づいて、燃料電池の姿勢を推定し、前記燃料電池の発電量を制御する
ことを特徴とする請求項１ないし１５の何れか一記載の携帯情報処理装置。
【請求項１８】
前記設定情報は、傾斜に対応する燃料電池の発電量を記憶する領域を有し、
前記制御部は、前記姿勢検出部のセンサ出力値と前記設定情報に基づいて、前記省電力機能部を制御すると共に、前記省電力機能部を制御した後に必要となる電力量を、前記燃料電池に発電させるよう制御する
ことを特徴とする請求項１ないし１５の何れか一記載の携帯情報処理装置。
【請求項１９】
省電力機能部と重力方向に対する傾斜と形態から定まる姿勢を姿勢に関する情報として出力する姿勢検出部とを用いて、
記憶部から、重力に対する姿勢に対応させて省電力制御を行う条件として記憶されている設定情報を取得するステップと、
前記姿勢検出機能部から、本体の重力に対する姿勢を姿勢に関する情報として取得するステップと、
取得した姿勢に関する情報と前記設定情報として記録されている省電力制御の条件に基づき、前記省電力機能を制御するステップと
を有することを特徴とする携帯情報処理装置の制御方法。
【請求項２０】
更に、省電力機能に移行した後に、入力部からの入力があるまで、前記姿勢に関する情報を用いて行なう動作を停止するステップを有する
ことを特徴とする請求項１９記載の携帯情報処理装置の制御方法。
【請求項２１】
前記設定情報を、当該装置の使用者、又は前記使用者が当該装置で使用するアプリケーションプログラムの作成者に設定させるステップを有する
ことを特徴とする請求項１９又は２０に記載の携帯情報処理装置の制御方法。
【請求項２２】
前記設定情報には、省電力モードに移行する動作条件が設定されていることを特徴とする請求項１９ないし２１の何れか一記載の携帯情報処理装置の制御方法。
【請求項２３】
前記設定情報には、重力方向に対して反対向きに、収納姿勢で水平に位置を保持されると、直ちに省電力モードに移行する動作条件が設定されていることを特徴とする請求項１９ないし２２の何れか一記載の携帯情報処理装置の制御方法。
【請求項２４】
前記設定情報には、省電力モードに移行する使用者の操作を規定した条件が設定されていることを特徴とする請求項１９ないし２３の何れか一記載の携帯情報処理装置の制御方法。
【請求項２５】
前記設定情報は、省電力モードに移行する条件と姿勢との関連付けを変更可能に記憶し、
使用者の操作を検出して、操作されたときの姿勢を通常モードに対応付けるように、前記設定情報を書き換えるステップを有することを特徴とする請求項１９ないし２４の何れか一記載の携帯情報処理装置の制御方法。
【請求項２６】
前記設定情報は、省電力モードに移行する条件と姿勢との関連付けを変更可能に記憶し、
使用者の操作を検出して、操作されたときの姿勢に基づき、省電力モードに移行する姿勢の設定情報を書き換えるステップを有することを特徴とする請求項１９ないし２４の何れか一記載の携帯情報処理装置の制御方法。
【請求項２７】
前記設定情報には、使用中のアプリケーションプログラムに対応した省電力モードに移行する条件が設定されていることを特徴とする請求項１９ないし２６の何れか一記載の携帯情報処理装置の制御方法。
【請求項２８】
表示画面の表示向きを識別し、表示画面の切り替え方向に対応させるように設定情報に記憶されている重力に対する姿勢に対応させて省電力制御を行う条件である設定条件を、補正するステップを有することを特徴とする請求項１９ないし２７の何れか一記載の携帯情報処理装置の制御方法。
【請求項２９】
表示画面の表示向きを識別し、表示画面の切り替え方向に対応させるように重力に対する姿勢を補正するステップを有することを特徴とする請求項１９ないし２８の何れか一記載の携帯情報処理装置の制御方法。
【発明の詳細な説明】
【技術分野】
【０００１】
本発明は、携帯可能な情報処理装置に関する。詳しくは、重力に対する姿勢を検出可能とするセンサを有する携帯情報処理装置に関する。
【背景技術】
【０００２】
近年、携帯端末装置に代表されるユーザに携帯されて使用される情報処理装置は、多機能、高機能化が進んで消費電力が増加傾向にある。  
電池を主電源として使用する携帯情報処理装置では、限られた電池の容量を効率よく使用する必要があり、省電力化が非常に重要となる。このため、低消費電力化と高機能化とを両立して、如何に効率良く省電力化を図るかという課題がある。
【０００３】
携帯情報処理装置の省電力機能に関連する技術としては、例えば、特許文献１ないし２に記載された携帯端末装置が挙げられる。
【０００４】
特許文献１に記載された携帯端末装置は、アプリケーション起動中に、携帯端末装置の使用者が表示部の画面を見るために行なった物理的挙動を検出するセンサ手段を有し、当該センサの出力に基づいて、通常の電力供給モードと省電力モードとの移行又は復帰を制御部によって制御している。また、センサ手段として加速度センサを有し、当該加速度センサの出力を解析して携帯端末装置の傾き、振動に基づいて省電力モードへの移行又は復帰を制御している。
【０００５】
特許文献２には、正面ディスプレイと背面ディスプレイを備え、携帯端末装置の角度を検出する重力センサの出力により、正面ディスプレイと背面ディスプレイの表示のオン／オフを制御する折りたたみ式の携帯端末装置が記載されている。また、特許文献２には、携帯端末装置に、正面ディスプレイと背面ディスプレイとの表示のオン／オフ制御を、ユーザが反転指示する反転ボタンが記載されている。また、特許文献２には、携帯端末装置の正面ディスプレイと背面ディスプレイとの切り替えに用いる重力センサの出力値の判別に、ヒステリシス特性を持たせることが記載されている。
【０００６】
また、一般的な携帯情報処理装置では、ユーザによる入力操作が行なわれない状態が所定時間経過すると、省電モードとなる機能を有している。
【先行技術文献】
【特許文献】
【０００７】
【特許文献１】特開２００７−０８０２１９号公報
【特許文献２】特開２００７−２８１８６４号公報
【発明の概要】
【発明が解決しようとする課題】
【０００８】
上記特許文献１ないし２に記載された携帯端末装置のように、携帯情報処理装置の省電力機能の動作制御に姿勢を検出可能とする加速度センサ（重力センサ）を使用する提案がなされている。
【０００９】
しかしながら、上記特許文献１の制御方法では、センサの検出した携帯端末装置の向きが所定の範囲内で通常モードから省電力モードに移行し、所定の範囲外で省電力モードから通常モードに復帰するため、所定の範囲近傍（閾値近傍）では、通常モードと省電力モードの切り替えが連続して繰り返される課題がある。
【００１０】
また、特許文献２に記載された制御方法では、省電力への移行と復帰を繰り返す問題を、制御部での判断にヒステリシス特性を持たせることのよって、特許文献１に記載された携帯端末装置の一課題を解決できるものの、更なる省電力機能の改善が求められる。
【００１１】
本発明は、上記課題に鑑みて成されたものであり、姿勢を検出可能とする姿勢検出部を用いて、優れた省電力機能を実現する携帯情報処理装置の提供を目的とする。
【課題を解決するための手段】
【００１２】
本発明の携帯情報処理装置は、起動中に各種機能を停止又は制限して電力の消費を抑えて動作時間の延長を図る省電力機能部と、本体の重力に対する姿勢を検出可能とする姿勢検出部と、前記省電力機能部を動作させる条件を前記本体の重力に対する姿勢に対応させて、設定情報として記憶保持する記憶部と、前記姿勢検出部から出力される姿勢に関する情報を取得して、前記記憶部に記録されている設定情報に基づいて、前記省電力機能部を制御する制御部とを備ることを特徴とする。
【００１３】
また、本発明の携帯情報処理装置の制御方法は、省電力機能部と重力方向に対する傾斜と形態から定まる姿勢を姿勢に関する情報として出力する姿勢検出部とを用いて、記憶部から、重力に対する姿勢に対応させて省電力制御を行う条件として記憶されている設定情報を取得するステップと、前記姿勢検出機能部から、本体の重力に対する姿勢を姿勢に関する情報として取得するステップと、取得した姿勢に関する情報と前記設定情報として記録されている省電力制御の条件に基づき、前記省電力機能を制御するステップとを有することを特徴とする。
【発明の効果】
【００１４】
本発明によれば、姿勢を検出可能とする姿勢検出部を用いて、優れた省電力機能を実現する携帯情報処理装置を提供できる。
【図面の簡単な説明】
【００１５】
【図１】実施の一形態における携帯情報処理装置を示すブロック図である。
【図２】携帯情報処理装置の回転軸であるＸＹＺ軸を示す説明図である。
【図３】ＸＹ面におけるそれぞれの軸を中心とする回転を示す説明図である。
【図４】ＸＺ面におけるそれぞれの軸を中心とする回転を示す説明図である。
【図５】ＹＺ面におけるそれぞれの軸を中心とする回転を示す説明図である。
【図６】携帯情報処理装置の各平面角度における所属領域を決定する情報を例示する説明図である。
【図７】設定情報における姿勢の設定領域を例示する説明図である。
【図８】設定情報における姿勢に対する動作モードの設定領域を例示する説明図である。
【図９】設定情報におけるヒステリシス設定領域を例示する説明図である。
【図１０】設定情報における他のヒステリシス設定領域の例示する説明図である。
【図１１】設定情報における姿勢に関する動作に対する処理動作の設定領域を例示する説明図である。
【図１２】設定情報における入力操作に対する処理動作の設定領域を例示する説明図である。
【図１３】設定情報における右利き用設定と左利き用設定に対応するヒステリシス設定領域を例示する説明図である。
【図１４】設定情報における右利き用設定に対応する各平面角度における所属領域を決定する設定領域を例示する説明図である。
【図１５】設定情報における左利き用設定に対応する各平面角度における所属領域を決定する設定領域を例示する説明図である。
【図１６】携帯情報処理装置の動作を示すフローチャートである。
【図１７】実施例における携帯端末装置の構成を概略的に示すブロック図である。
【図１８】本実施例における設定情報の一部を示す説明図である。
【図１９】本実施例における設定情報の一部を示す説明図である。
【図２０】実施例におけるＹＺ平面を示す説明図である。
【図２１】実施例おける携帯端末装置の省電力設定に関する全体動作例を示すフローチャートである。
【図２２】実施例２における書き換えられた設定情報を示す説明図である。
【図２３】実施例２における携帯端末装置の動作を示すフローチャートである。
【図２４】実施例３における設定情報を示す説明図である。
【図２５】実施例３における設定情報を示す説明図である。
【図２６】実施例３におけるＸＺ平面を示す説明図である。
【図２７】実施例４の携帯端末装置の概観を示す斜視図である。
【発明を実施するための形態】
【００１６】
本発明の実施の形態について、図を参照して説明する。尚、本発明と関係が薄い構成については、説明を簡略化又は省略する。
【００１７】
図１は、実施の一形態における携帯情報処理装置１を示すブロック図である。  図１を参照すると、携帯情報処理装置１は、制御部１０、省電力機能部２０、姿勢検出部３０、記憶部４０、入力部５０、出力部６０、電源部７０を含んで成る。
【００１８】
携帯情報処理装置１は、電池に蓄えられたエネルギーを、電源部７０を介して取得し、制御部１０を各種手段として動作させることによって、多くの用途に使用される。
【００１９】
制御部１０には、省電力機能部２０が設けられ、電池に蓄えられたエネルギーを効率よく使用する。省電力機能部２０は、起動中に、各種機能を停止又は制限して電力の消費を抑えて動作時間の延長を図る。また、制御部１０には、必要に応じて姿勢検出停止部２１及び姿勢検出補正部２２が設けられる。  
ここで使用する省電力機能とは、例えば、表示画面の無表示、表示部のバックライトの消灯、制御部等の演算処理の低速化、使用しないデバイスへの電力遮断などであり、各種機能を停止又は制限して電力消費を抑える機能を指す。
【００２０】
姿勢検出停止部２１は、使用者の操作を受け付ける入力部６０からの入力があるまで、姿勢に関する情報を用いて行なう動作を停止する。即ち、姿勢検出停止部２１を動作させた後は、入力操作を受け付けるまで、姿勢検出部３０からの出力を停止又は未判別とすることで、所望する省電力を実現する。
【００２１】
姿勢検出補正部２２は、姿勢検出部３０のセンサ出力値を、必要に応じて、所望な角度の加減や軸方向の変更、画面に対応させるように値を補正する。尚、補正は、電気回路的に信号を変換しても良いし、情報処理的に値を読み替えても良い。また、補正は、後述するように設定情報４１を書き換えて行なっても良い。
【００２２】
姿勢検出部３０は、本体（センサ）の重力に対する向きを検出する。また、姿勢検出部３０は、携帯情報処理装置１の形状を識別可能であり、加えて、回転方向やその加速度を検出可能にしても良い。即ち、姿勢検出部３０は、重力方向に対する本体の傾斜と形態から定まる姿勢を姿勢に関する情報として出力する。姿勢検出部３０は、例えば、３軸加速度センサや、重力センサ、姿勢を検出するスイッチ及びセンサを用いることによって実現すれば良い。
【００２３】
携帯情報処理装置１の形状とは、表示部等が可動式の携帯情報処理装置において、本体と表示部等がどの位置関係にあるかで定まる。例示すれば、携帯情報処理装置１が折りたたみ式の場合、折りたたみ状態や表示部の角度によって形状が定まる。また、携帯情報処理装置１の表示部が回転スライド式の場合、本体に対する表示部の位置や表示画面の表示向き（表示部の長手方向に対して縦向き又は横向きの画面）などによって形状が定まる。同様に、表示部等が反転（裏返し）式の場合、表示部等が反転（裏返し）式の状態や表示向きで形状が定まる。また、伸縮アンテナを有する場合には、伸縮アンテナの状態を含めて形状を定めても良い。
【００２４】
記憶部４０には、省電力機能部２０等を動作させる条件である設定情報４１が記憶される。  
設定情報４１には、姿勢検出部３０のセンサ出力（姿勢に関する情報）に対応した重力に対する姿勢が記載されている。また、設定情報４１には、姿勢毎に省電力設定が対応付けられて記載されている。設定情報４１の省電力設定とは、例えば、省電力モードへの移行条件や、特定デバイスへの電力の供給停止や省電力動作などの組み合わせをいう。また、設定情報４１は、省電力モードに移行する条件と姿勢との関連付けや後述する内容を使用態様に合わせて起動中に変更可能（書き換え可能）に記憶するようにしても良い。
【００２５】
設定情報４１には、使用者又はアプリケーションプログラムの作成者によって設定可能な領域を設けても良い。また、前記領域は、アプリケーションプログラム毎の領域をとしても良い。当該領域は、使用者、又はアプリケーションプログラムの作成者に設定されることで、省電力機能部２０を動作させる一つの条件として利用可能となる。
【００２６】
また、設定情報４１には、省電力モードに移行する動作を規定可能な領域を設けても良い。同様に、設定情報４１には、省電力モードに移行する使用者の操作を規定可能な領域を設けても良い。当該領域を設けることで、携帯情報処理装置１の動作又は入力された操作に基づいて、省電力機能部２０を動作させる一つの条件として利用可能となる。
【００２７】
また、設定情報４１には、使用者の操作を一時的に記憶する領域や、表示画面向きに対応した省電力機能を動作させる条件を規定可能な領域、右利き用設定と左利き用設定に対応する領域、ヒステリシス（不定領域）設定値を規定可能な領域を設けても良い。
【００２８】
また、携帯情報処理装置１が電池として、本体の傾斜や燃料量に応じて発電量が変化する例えばダイレクトメタノール型燃料電池（Direct Methanol Fuel Cell）を用いる場合には、設定情報４１として、本体の傾斜（携帯情報処理装置１の姿勢）に対応するＤＭＦＣの姿勢及び発電量を記憶する領域を設けても良い。  
尚、設定情報４１については、後に図を用いて例示する。
【００２９】
次に、携帯情報処理装置１の姿勢に関して詳説する。  
図２は、携帯情報処理装置１の回転軸であるＸＹＺ軸を示す説明図である。本実施の一形態では、図２に示すように、重力に対しての基準点と、本体の回転軸Ｘ軸、Ｙ軸、Ｚ軸を定義する。図２に例示された携帯情報処理装置１では、本体の略中央内側に回転の基準点を設定し、基準点を中心に、Ｘ軸、Ｙ軸、Ｚ軸を設定している。尚、基準点を設定する位置は任意であり、重心やセンサの位置としても良いし、他の位置でも構わない。
【００３０】
図３ないし図５は、ＸＹ面、ＸＺ面、ＹＺ面におけるそれぞれの軸を中心とする回転を示す説明図である。  
ＸＹ面におけるＺ軸を中心とする回転は、図３に示すように、θｚの角度によって定まる。  
同様に、ＸＺ面におけるＹ軸を中心とする回転は、図４に示すように、θｙの角度によって定まる。  
同様に、ＹＺ面におけるＸ軸を中心とする回転は、図５に示すように、θｘの角度によって定まる。  
それぞれの軸の角度は、θｘ,θｙ,θｚで示す。θｘ,θｙ,θｚは、それぞれ０°から１８０°の値であり、図に示す回転（反時計回り）を正とし、逆回転（時計回り）を負として扱う。  
即ち、携帯情報処理装置１の表示面を上にして水平方向に置いた状態をθｘ＝０°,θｙ＝０°,θｚ＝０°とする。
【００３１】
図２ないし５に例示した携帯情報処理装置１は、下部から入力部６０がスライドして出てくるスライド式である。携帯情報処理装置１の姿勢検出部２０には、スライドの状態を検出する検出器（センサ又はスイッチ）が設けられている。上記したように、姿勢には、このようなスライドの状態、本体に対する表示部の位置の状態、表示画面の状態などの形態（形状）の変化も含まれ、制御部１０によって各種状態を識別される。
【００３２】
携帯情報処理装置１の制御部１０は、上記姿勢の識別と共に、使用者による入力部５０への入力を所定時間記憶する入力一時記憶機能を有する。また、当該機能では、記憶部４０に、入力部５０への入力された入力量、入力回数、入力頻度、入力対象プログラムなどを記憶するようにしても良い。
【００３３】
次に、設定情報４１の記憶領域に記録される各種テーブル情報について、幾つかを以下に例示する。下記テーブル情報の何れか又は全てを記憶することによって、姿勢検出部３０からの姿勢に関する情報を用いて、省電力機能を緻密に制御可能となる。
【００３４】
図６（ａ）ないし（ｃ）は、携帯情報処理装置１の各平面角度における所属領域を決定する情報を例示する説明図である。
【００３５】
図６に示される各平面のθ１ないしθ４は、平面角を所望する範囲に分割した値の角度が入れられ、現在の所属領域を定める用に使用される。  
具体的に例示すれば、ＸＹ平面角度θｚ°（図６（ａ））で、θ１及びθ３を１５°と規定すれば、携帯情報処理装置１を正面から左に１５度回転させるまでの範囲をＺ１と規定でき、同様に正面から左に１５度回転させるまでの範囲をＺ４と規定できる。また、θ２及びθ４を適切に規定すれば、横向きに使用する場合の範囲を規定できる。  
ＸＺ平面角度θｙ°及びＹＺ平面角度θｘ°に於いても、ＸＹ平面角度θｚ°と同様に各値を所望する角度の範囲となるように規定すれば良い。
【００３６】
このような設定情報４１を記憶部４０に記憶することで、携帯情報処理装置１の制御部１０は、姿勢検出部３０のセンサ出力から、重力に対する角度（傾斜）を識別して現時点での所属領域を識別可能となる。尚、姿勢検出部３０に用いるセンサの種類によっては角度情報ではなく電圧値などで出力するが、その場合は、ＸＹＺ出力の電圧値範囲を用いて姿勢を検出すれば良い。
【００３７】
図７は、設定情報４１における姿勢の設定領域を例示する説明図である。図７に示すように、制御部１０による携帯情報処理装置１の姿勢の設定（識別）は、姿勢検出部３０から出力される姿勢に関する情報に基づき、予め姿勢に関する情報に対応付けられて記憶されている情報を読み込み行なわれる。  
尚、図７の例示では、携帯情報処理装置１の制御部１０は、重力に対するＸＹＺ軸の傾斜から図６に示させた所属領域を識別すると共に、携帯情報処理装置１の形態（形状）を識別し、そのときの姿勢を識別する。
【００３８】
図８は、設定情報４１における姿勢に対する動作モードの設定領域を例示する説明図である。図８に示すように、制御部１０による携帯情報処理装置１の動作モードの設定は、先に識別した携帯情報処理装置１の姿勢に基づき、予め姿勢に対応付けられて記憶されている情報を読み込み行なわれる。
【００３９】
設定情報４１には、必要に応じて、ヒステリシス設定値やアプリケーション種類の設定、動作の設定などの領域を設けても良い。
【００４０】
図９は、設定情報４１におけるヒステリシス設定領域を例示する説明図である。図９に示すように、制御部１０による姿勢の識別にあたって、不定領域（角度）を設けることで、設定された各領域の境界でおこる僅かな変化で領域の変化を繰り返す現象を防止できる。
【００４１】
図１０は、設定情報４１における他のヒステリシス設定領域の例示する説明図である。図１０では、各領域の境界に対応してヒステリシスの値が設定される。詳細に説明すれば、図９に示したヒステリシス設定領域では、平面毎に同一の値を設定していたのに対し、図１０に示されるヒステリシス設定領域では、分割した領域の境界に、それぞれ所望の値を設定可能なように領域を設けてある。
【００４２】
図１１は、設定情報４１における姿勢に関する動作（変移）に対する処理動作の設定領域を例示する説明図である。設定情報４１には、図１１に示すように、姿勢検出部３０のセンサ出力を用いて検出した姿勢に関する動作に対応して動作させたい処理（機能）を記憶しても良い。当該領域を設けることによって、制御部１０は、姿勢に関する動作に対する所望の処理動作を行なえる。
【００４３】
図１２は、設定情報４１における入力操作に対する処理動作の設定領域を例示する説明図である。設定情報４１には、図１２に示すように、入力部６０を用いて検出した入力操作に対応して動作させたい処理（機能）を記憶しても良い。
【００４４】
図１３は、設定情報４１における右利き用設定と左利き用設定に対応するヒステリシス設定領域を例示する説明図である。設定情報４１には、図１３に示すように、右利き用設定と左利き用設定に対応する領域を設け、姿勢の識別又はセンサ出力の補正に用いても良い。
【００４５】
図１４及び図１５は、設定情報４１における右利き用設定と左利き用設定に対応する各平面角度における所属領域を決定する設定領域を例示する説明図である。設定情報４１には、図１４及び図１５に示すように、右利き用設定と左利き用設定を記憶し、姿勢の識別に用いても良い。
【００４６】
このように構成された携帯情報処理装置１は、以下の様に動作する。  
図１６は、携帯情報処理装置１の動作を示すフローチャートである。  
携帯情報処理装置１の制御部１０は、記憶部４０から各種プログラム及び設定情報４１を読み込む（ステップＳ０１）。  
制御部１０は、所定のタイミング毎に、姿勢検出部３０から出力される姿勢に関する情報を取得する（ステップＳ０２）。  
制御部１０は、必要に応じて姿勢検出補正部２２を用いて、データや姿勢を補正する（ステップＳ０３）。  
制御部１０は、設定情報４１と姿勢に関する情報に基づいて、省電力機能部２０を制御する（ステップＳ０４）。  
制御部１０は、必要に応じて姿勢検出停止部２１を用いて、使用者の入力部５０への入力操作があるまで、姿勢に関する情報を用いて行なう動作を停止する（ステップＳ０５）。このように動作させれば、一度省電力モードになると携帯情報処理装置は、キー操作等を行うまでその状態を保持できる。
【００４７】
また、制御部１０は、上記動作に加え、姿勢に関する情報の変移と設定情報４１に記録されている姿勢に関する動作に対する処理動作の設定領域を用いて、例えば、重力方向に対して下方に移動し、且つ反対向きに、収納姿勢で位置を保持されると、タイマ機能等を用いる通常の省電力機能を用いずに、直ちに省電力モードに移行するようにしても良い（図１１の３行目参照）。このように制御部１０を動作させれば、使用者によって携帯情報処理装置１を水平面に置く動作を、使用意思が無いものとして省電力設定に移行できる。  制御部１０は、上記動作にタイマ機能を加えて利用し、所定時間内に、使用者によって使用する姿勢から収納姿勢に形態を変更して、且つ、所定の向き及び／又は加速度で重力方向に対して反対向きに姿勢を変更し、更に変更後の位置に保持されると、直ちに省電力モードに移行するようにしても良い。このように制御部１０を動作させれば、使用者が所定時間内に携帯情報処理装置１の姿勢を定まっている複数の条件どおりに変移させることで、使用意思がないことを確認し、直に省電力設定に移行できる。
【００４８】
また、収納姿勢への形態を変更後、下方への移動を検出して、更に下方への移動が停止後、停止位置に保持されると、直ちに省電力モードに移行するようにしても良い。
【００４９】
また、制御部１０は、上記動作と同時的又は所定時間先立って、入力部５０から入力された使用者の操作を記憶保持するようにしても良い。操作を記憶保持した場合、制御部１０は、姿勢に関する情報と入力操作に対する処理動作の設定領域を参照して使用者の操作を把握し、現在の入力された操作状況から省電力モードに移行するなどの処理動作を実現できる。
【００５０】
また、姿勢に関する情報と入力操作に対する処理動作の設定領域を参照して使用者の主なキー（テンキーやカーソルキーなど）への入力を識別し、所定時間の間、現在の姿勢の角度を、標準モードとして設定するよいに制御部１０を動作させても良い。同様に、使用者の主なキーへの入力を識別し、操作されたときの姿勢を通常モードに対応付けるように、設定情報４１を自動的に書き換え、現在の使用状況から省電力モードに移行する適切な姿勢を自動的に切り替えるようにしても良い。尚、所定時間経過後に切替えた設定を元に戻す処理を加えることが望ましい。  
これは、例えばベッドなどで使用者が仰向けで携帯情報処理装置１を使用する場合などに、当該状況を入力部５０への入力操作に基づいて把握し、表示部が下方（重力加速度の方向）に向いていても、通常モードのまま使用できることとなる。  
換言すれば、センサ出力の角度のみ参照するような省電力制御では表示部を下方に向けた場合に表示を停止する動作を行なうのに対し、上記動作は、センサ出力の角度と共に使用者の操作を参照するので、例えセンサ出力で下方を検出していても、操作がある場合には、継続して使用意思が有るものとして省電力設定に移行する姿勢を通常の所属領域から切替える。  
また、制御部１０は、姿勢に関する情報から、携帯情報処理装置１の形態に適応させて、姿勢に関する情報のＸＹＺ出力を切替える又は読み替えるよう補正して制御するようにしても良い。
【００５１】
一例としては、制御部１０は、姿勢検出部３０のセンサ出力に応じて、使用者に対して表示部を縦長又は横長に使用するように画面の表示を切替えた場合、Ｘ軸とＹ軸との出力の切り替え動作を行なうことで、画面の切り替えタイミングで姿勢に対する動作を適切に切替えることが可能となる。また、制御部１０は、使用者に対して表示画面向きを切替えた後、形態と表示画面向きを識別し、識別した形態と表示画面向きに対応させて姿勢を識別するようにしても良い。  
また、常時、表示画面の表示向きを識別し、表示画面の切り替え方向に対応させるように重力に対する姿勢や、重力に対する姿勢に対応させて省電力制御を行う条件を補正するようにしても良い。
【００５２】
尚、切り替え動作は、姿勢検出補正部２２によって、センサ出力値の値を、制御部１０が表示画面の切り替えに対応させたように情報処理的に値を読み替えても良いし、センサ出力値を表示画面の切り替えに対応させるように電気回路的に配線を切り替えるようにしても良い。  
このように動作させれば、携帯情報処理装置のいわゆる縦スタイルと横スタイルの両方に対して、省電力制御を同様に動作させることが可能となる。
【００５３】
また、記憶部４０の設定情報４１に、右利き用と左利き用の姿勢に関する情報の取得パターン又は補正に用いる情報を準備し、制御部１０によって予め使用者に右利き又は左利きの何れかを入力させて、選択された方のパターン又は補正に関する情報を使用するようにしても良い。  
このように動作させれば、携帯情報処理装置１を保持する使用者の利き手に対応した姿勢を設定可能とでき、不必要な電力を削減できる。
【００５４】
これは、使用者の体の中心に対して、右利きの人は右寄りに、左利きの人は左寄りに、携帯情報処理装置１を保持することが多いため、保持されて使用される側に対応した省電力への移行を設定可能とでき、省電力化が図れる。
【００５５】
また、記憶部４０の設定情報４１に、右利き用と左利き用の姿勢に関する情報のヒステリシス領域の情報を準備し、制御部１０によって予め使用者に右利き又は左利きの何れかを入力させて、選択された方のヒステリシス領域を使用するようにしても良い。  
このように動作させれば、携帯情報処理装置１を保持する使用者の利き手に対応した不定領域を設定可能とでき、不必要な電力を削減できる。
【００５６】
また、入力部６０に対する使用者の操作を、所定時間の間、設定情報４１に記憶保持し、所定時間中に入力された操作量などと姿勢検出部３０との出力に基づいて、省電力機能部２０を制御しても良い。このとき、使用者による入力部６０への操作を検出した場合に、操作量などに応じて、省電力モードへ切り替る時間を調節しても良い。
【００５７】
また、携帯電話装置１を、反対の姿勢（裏返し）に置くと直ちに省電力モードに移行するようにしても良い。また、このときのモード変更に要する条件に、姿勢検出部２０を用いて取得する加速度の大きさ、加速度の方向および衝撃（タップやシェイクなど）の何れか又は組み合わせを付加しても良い。
【００５８】
このようにすれば、例えば、携帯電話装置１を裏返す動作が所定の方向に所定値の以上の速さで裏返されたときに省電力モードへ切替えることが可能となる。また、携帯電話装置１を裏返した後、軽くタップされることで、省電力モードへ移行することが可能となる。
【００５９】
また、設定情報４１に、使用者の操作を一時的に記憶する領域と共に、アプリケーションプログラムに対応付けられた省電力モードに移行する姿勢を記憶しても良い。また、制御部１０は、動作中のアプリケーションプログラムに対応する省電力モードに移行する姿勢を、入力操作に基づいて自動的に切り替えるよう動作しても良い。また、制御部１０は、使用者の操作を把握し、使用中のアプリケーションプログラムに対応した省電力モードに移行する姿勢を、設定情報４１を書き換えて自動的に切り替えるよう動作しても良い。  また、制御部１０は、携帯情報処理装置１上で動作する汎用的なアプリケーションプログラムが、設定情報４１の所定の領域を設定可能としても良い。当該小域は、アプリケーションプログラムの起動中のみに有効となり、加えて、アクティブなアプリケーションプログラムが優先されるようにすることが望ましい。一例としては、アプリケーションプログラムの起動時に、設定情報４１の姿勢に関する動作に対する処理動作の設定領域に、起動中の間だけ有効となる設定を書き加えるように動作させても良い。  
このようにすれば、アプリケーションプログラムの作成者又は使用者が所望するように、省電力機能の一部又は全てをアプリケーションプログラムによって制御することが可能となる。  
また、設定情報４１内のアプリケーションプログラムによって書き換えられる領域は、複数のアプリケーションプログラムに対応可能に複数領域を設け、アプリケーションプログラム毎に省電力設定を行なえるようにしても良い。この場合は、優先度を設定できる様にすることが望ましい。このようにすれば、制御部１０は、使用者の操作を把握し、使用中のアプリケーションプログラムに適した省電力モードに移行が可能となる。また、優先度を設けた場合には、アプリケーションプログラム間又はＯＳとアプリケーションプログラム間での競合発生時に優先度に応じて適切に省電力制御が行なえる。
【００６０】
また、電池が燃料量と傾斜によって発電量が変化するＤＭＦＣ（Direct Methanol Fuel Cell）型などの燃料電池であれば、設定情報４１に傾斜に対応する燃料電池の発電量を記憶する領域を設け、姿勢検出部３０のセンサ出力値に基づいて、燃料電池の発電量を推定し、前記推定値に基づいて、使用可能な電力量を算出し、算出した電力量以下になるように省電力機能部２０を制御するようにしても良い。
【００６１】
また、燃料電池の発電量を制御する手段を設ければ、制御部１０は、姿勢検出部２０の姿勢に関する情報に基づき、燃料電池の姿勢を推定し、燃料電池の発電量を制御ようにしても良い。燃料電池の発電量を制御する手段としては、燃料電池内の燃料ポンプや送風ポンプ等の動作を制御部１０が制御すれば良い。
【００６２】
また、制御部１０は、姿勢検出部３０の姿勢に関する情報に基づいて、省電力機能部２０を制御に合わせて、省電力機能部２０を制御した後に必要となる電力量を、燃料電池に発電させるよう制御するようにしても良い。
【００６３】
上記説明したように、制御部１０によって、重力に対する携帯情報処理装置１の姿勢状態を把握し、設定情報４１に基づき携帯情報処理装置を動作させることで、優れた省電力機能を実現できる。
【００６４】
次に、実施例を複数示し、本発明を説明する。  
【実施例１】
【００６５】
実施例１では、携帯情報処理装置の一例として、携帯端末装置を用いて本発明を説明する。
【００６６】
図１７は、実施例における携帯端末装置１００の構成を概略的に示すブロック図である。図１７に示された携帯端末装置１００は、大きく情報処理系と無線通信処理系により構成され、制御部１０１と無線部１０２の間ではデータの送受信が行われている。
【００６７】
無線部１０２には、無線信号の送受信に使用されるアンテナ部１０３が接続され、通信先との無線通信を可能とする。  
制御部１０１には、携帯端末装置１００全体に電池から取得した電力を供給する電源部１０４が接続されている。また、制御部１０１には、入出力部として、使用者の音声信号を電気信号に変換する送話部１０５、相手側からの電気信号を音声信号に変換する受話部１０６、音楽や音声、報知音等を再生するスピーカ１０７、各種情報を表示する表示部１０８、携帯端末装置１００の発着信や各種機能の操作を行う操作部１０９が接続されている。  
また、制御部１０１には、携帯端末装置１００の動作方向、重力に対する向き、振動、形態等を検出する姿勢検出センサ１１０が接続されている。姿勢検出センサ１１０は、３軸加速度センサ、及び形態を検出するスイッチを用いる。  
また、制御部１０１には、携帯端末装置１００の状態や各種データ、プログラムなどを記憶する記憶部１１１が接続されている。記憶部１１１には、後述する装置状態監視部１１２の制御に使用するデータや設定値、そのほか携帯端末装置１００の各種設定情報を格納し記憶する設定記憶領域１１３が設けられている。  
装置状態監視部１１２は、姿勢検出センサ１１０から得られる姿勢に関する情報や設定記憶領域１１３に記録されている情報などに基づき、携帯端末装置１００の姿勢を把握して省電力状態を制御する。また、装置状態監視部１１２は、必要に応じて、検出した姿勢の補正を行なう。また、装置状態監視部１１２は、必要に応じて、姿勢検出センサ１１０の出力に基づく各種動作を停止する。
【００６８】
設定記憶領域１１３には、ＹＺ平面角度における所属領域を決定する角度設定値が記憶されている。また、必要に応じて、ＹＺ平面角度における不定領域角度を決定する角度設定値が記録されている。また、設定記憶領域１１３には、姿勢に対応した動作モードを決定する情報が記録されている。即ち、設定記憶領域１１３には、省電力機能を動作させる条件を姿勢に対応させて、設定情報として記憶保持されている。  
また、設定記憶領域１１３には、通常モードで使用時に携帯端末装置１００の向きを反対の状態にすると省電力モードとなる動作、及び一度所定の省電力モードに入った場合には、携帯端末装置１００が再び通用モードの領域に戻っても前記省電力モードをそのまま保持する動作を実現する設定情報が記録されている。即ち、省電力モードに移行する動作を規定可能な領域に、領域と省電力モードとを対応付ける情報が設定情報として記録されている。
【００６９】
図１８及び図１９は、本実施例における設定情報の一部を示す説明図である。  
図１８を参照すると、設定情報として、領域Ａと領域Ｂの切り替わる角度である、ＹＺ平面角度１、ＹＺ平面角度２が設定可能な領域が設けられている。図１８の設定では、ＹＺ平面角度１にθ１、ＹＺ平面角度２にθ２が対応付けられて記録されている。また、ＹＺ平面における不定領域を設定するヒステリシス角度にαが対応付けられて記録されている。この設定情報は、使用者やアプリケーションプログラムの作成者が任意に設定することも可能である。
【００７０】
図１９を参照すると、設定情報として、展開状態における領域Ａと領域Ｂのそれぞれの領域に所属する時の動作モードを設定可能な記憶領域が設けられている。図１９の設定では、展開状態で領域Ａに属する姿勢に通常モード、展開状態で領域Ｂに属する姿勢に省電力モードが対応付けられて記録されている。この設定情報は、使用者やアプリケーションプログラムの作成者が任意に設定することも可能である。また、省電力モードは、姿勢毎にそれぞれ異なる省電力モードを準備しても良い。
【００７１】
以上に実施の形態の構成を述べたが、図１７に記載の携帯端末装置１００と基地局等との無線通信システムに関する接続や構成については、当業者にとってよく知られているためその説明については省略する。
【００７２】
次に、本実施例の携帯端末装置１００における動作について、図２０及び図２１を用いて説明する。  
図２０は、実施例におけるＹＺ平面を示す説明図である。  
携帯端末装置１００のメイン表示画面を上にして水平方向に置かれた状態をθｘ＝０°としてここでは扱う。領域Ａは、設定値θ１から設定値θ２までの範囲（−θ１＜θｘ＜θ２）を示す。領域Ｂは、設定値θ２から１８０°までと−１８０°から−θ１までの範囲（θ２＜θｘ＜１８０°、−１８０°＜θｘ＜−θ１）を示す。θｘは−１８０°から１８０°までの値とし、θ１、θ２は正の値である。
【００７３】
図２０に示された携帯端末装置１００では、領域Ａが通常モードの場合を示している。また領域Ａと領域Ｂの変化点にヒステリシスαを加味しても良い。この場合、領域Ａから領域Ｂへの変化点はＨ１およびＨ４となり、領域Ｂから領域Ａへの変化点はＨ２およびＨ３となる。θ１やθ２で設定された変化点では僅かな動きでも領域Ａと領域Ｂが切り替わるため、仮に使用者が境界領域で操作などを行う場合は、領域Ｂと識別した瞬間に意図せずに省電力モードに移行する。このためヒステリシスαを設定することでこの区間において領域Ａ、領域Ｂの動作モードを変更しても直ぐに省電力モードとなってしまうことがなく動作が安定する。  
このような携帯端末装置１００の状態で、携帯端末装置１００の設定記憶領域１１３に記憶されている設定情報が、展開状態で、領域Ａに通常モード、領域Ｂに省電力モードが設定されていた場合は、領域Ａから領域Ｂの状態に変化すると省電力モードとなる（図１８参照）。他方、補正や設定の書換えなどで設定情報が、領域Ａに省電力モード、領域Ｂに通常モードが設定されていた場合は、領域Ｂから領域Ａの状態に変化すると省電力モードとなる。
【００７４】
また、通常モードで使用時に向きを反対の状態にすると、制御部１０１は、姿勢検出センサ１１０から出力された姿勢に関する情報を取得して、設定情報領域１１３に記録されている通常モードで使用時に携帯端末装置１００の向きを反対の状態にすると省電力モードとなる動作の設定に基づいて、所定の省電力モードとする。
【００７５】
また、装置状態監視部１１２の処理動作により、携帯端末装置１００が一度省電力モードに入った場合には、携帯端末装置１００の姿勢が再び元の通常モードの領域に戻っても省電力モードをそのまま保持する処理が可能となる。このため意図せずに省電力モードから復帰してしまうということがない。
【００７６】
図２１は、実施例おける携帯端末装置１００の省電力制御に関する全体動作例を示すフローチャートである。  
まず、制御部１０１は、現在の動作モードが通常モードであるか否かを確認する。通常モードではない場合（Noの場合）、つまりここでは省電力モードの場合には処理を終了する。尚、このとき、装置状態監視部１１２の処理によって、姿勢検出センサ１１０の出力に基づく省電力制御に制限が加えられており、操作部１０９からの入力があるまで、省電力モードが維持される（ステップａ１）。  
制御部１０１は、ステップａ１で通常モードの場合（YESの場合）は、次ステップとして、省電力モードに移行するまでの所定時間を省電力タイマとしてセットする。この所定時間の値は、使用者が設定しても良いし、予め任意に設定されている値を使用しても良い（ステップａ２）。  
制御部１０１は、ステップａ２にて設定した省電力タイマが経過したかどうかの確認を実施する（ステップａ３）。  
省電力タイマが設定された時間を越えた場合、制御部１０１は、装置状態監視部１１２を動作させ、省電力モードに移行する（ステップａ４）。
【００７７】
ステップａ３で省電力タイマがまだ経過していない場合、制御部１０１は、ステップａ２での省電力タイマのセット後のキー操作の有無を識別する（ステップａ５）。キー操作が行われた場合は、再びステップａ２へもどり省電力モードまでの省電力タイマを再セットする。
【００７８】
ステップａ５にてキー操作がない場合、制御部１０１（装置状態監視部１１２）は、設定情報を読み込む（ステップａ６）。
【００７９】
装置状態監視部１１２は、姿勢検出センサ１１０からの姿勢に関する情報を取得し、必要に応じて補正する（ステップａ７）。このとき、姿勢検出センサ１１０は、重力方向に対するＸＹＺ軸方向の姿勢認識、および、形態（形状）の認識を可能とする姿勢に関する情報が出力されている。
【００８０】
装置状態監視部１１２は、姿勢に関する情報と設定情報を用い、携帯端末装置１００の重力に対する姿勢などに基づき、対応付けられた動作モードを識別する（ステップａ８）。即ち、先に図１９にて示した設定情報の領域Ａおよび領域Ｂの何れに属している姿勢であるかを識別して、通常モードか省電力モードで動作するかを確認する。換言すれば、時々刻々と変化する姿勢の変化に応じて、現在の姿勢が設定情報に記録されている省電力モードの姿勢になった場合に、動作モードを省電力モードに移行するか判別する。  
ステップａ８にて動作モードの変更が無いと判断された場合は、再びステップａ３に戻る。ステップａ８にて省電力設定に移行すると判断された場合はステップａ４に移行し、携帯端末装置１００を省電力モードで動作させる。
【００８１】
上記動作とは別に、制御部１０１は、常時操作部１０９への入力を監視し、省電力モード中に使用者のキー操作が有った場合、省電力モードから通常モードへ復帰する。また着信や形状の変化等があった場合も省電力モードから復帰し、そのイベントが終了するまで通常モードを維持する。
【００８２】
上記のように制御部１０１及び装置状態監視部１１２を動作させることによって、一例として、使用者が携帯端末装置１００の姿勢を重力方向に対して反対の姿勢に置くと、予め設定された設定情報に従い直ぐに省電力モードに移行させることが可能となる。  
同様に、設定情報は、使用者やアプリケーションプログラムの作成者が予め任意に設定することが可能である為、使用者の使用態様やアプリケーションプログラムの動作態様に適した省電力処理が可能となる。
【００８３】
さらに前記携帯端末装置１００において、一度省電力モードになると携帯端末装置１００は使用者がキー操作等を行うまでその状態を保持することが可能となる為、省電力モードと通常モードの連続的な切り替わる現象を防止でき、省電力につながる。
【００８４】
その他にも適時設定情報を付加することで、使用者等の意思に沿った省電力で使い勝手の良い携帯端末装置１００を実現できる。
【００８５】
尚、上記実施例の説明では、スライドタイプの携帯端末装置１００を記載したが、その他の形状の携帯端末装置においても適用可能であることはいうまでもない。
【実施例２】
【００８６】
次に、実施例２を示し、本発明を説明する。  
本発明の実施例２における携帯端末装置２００は、実施例１の携帯端末装置１００に対し、操作部にキー操作があった場合に、姿勢検出センサ１１０の出力を読み込み、記憶設定領域１１３に記録されている動作モードを携帯端末装置２００が自動的に書き換える点で異なる。
【００８７】
その他の携帯端末装置２００の構成及び動作については実施例１の携帯端末装置１００と同様であるため、説明を簡略化又は省略して記載する。
【００８８】
次に、実施例２の携帯端末装置２００における動作について、図２０を用いて説明する。
【００８９】
携帯端末装置２００は、通常モードで使用時に向きを領域Ａから徐々に領域Ｂにした場合、θ２の角度を閾値として動作モードを変更する。ヒステリシスαを加味した場合はＨ４にて動作モードを変更する。  
このとき、設定情報の状態が図１９と同一であれば、展開状態で領域Ａに属する姿勢で通常モードとなり、展開状態で領域Ｂに属する姿勢で省電力モードとなる。換言すれば、制御部１０１が設定情報に記載された姿勢に基づき、θ２（ヒステリシスαを加味した場合はＨ４）を境界として動作モードを通常モードから省電力モードに切替える。
【００９０】
ここで、領域Ｂに属する姿勢で、操作部１０３への入力操作が行なわれた場合を説明する。  
携帯端末装置２００の制御部１０１は、領域Ｂに属する姿勢で入力操作が行なわれた場合、姿勢検出センサ１１０の出力に基づき、その時点の姿勢を使用する姿勢とみなし、通常モードの姿勢とするように設定情報を書き換える。
【００９１】
即ち、領域Ｂに属した後に、使用者によって操作部１０９へのキー操作が行なわれると、その操作が行なわれた領域である領域Ｂが通常モードとなり、他方が省電力モードに書き換えられる。尚、書き換えられた後の省電力設定領域の状態は図２２のようになる。
【００９２】
上記説明では、キー操作が行なわれた場合の設定情報を書き換える動作を示したが、設定情報に基づく動作として、通常行なう操作に組み入れても良い。この場合は、携帯端末装置２００は、記憶設定領域１１３に、入力操作に関する設定領域が設けられ、入力操作を受けた場合にその時点の姿勢を通常モードの姿勢とするように設定情報を書き換える動作を設定情報として有する。  
即ち、領域Ｂに属した後に、使用者によって操作部１０９へのキー操作が行なわれると、入力操作に対する処理動作の設定領域の設定情報に基づき、操作が行なわれた姿勢を通常モードとする。このとき、省電力設定領域を書き換えて操作が行なわれた姿勢を通常モードに設定しても良いし、タイマを設定して所定時間の間、操作が行なわれた姿勢の領域を通常モードにしても良い。また、操作が行なわれた姿勢の角度を中心に通常モードとする領域を設定しても良い。当該動作を以下に示す。  
図２３は、実施例２における携帯端末装置２００の動作を示すフローチャートである。  ステップｂ１からｂ４、ｂ６からｂ８の動作は、前記実施例１のｂ１からａ４、ａ６からａ８と同様の動作であるためここでは説明を簡略化し一部省略する。  
制御部１０１は、現在の動作モードを確認（ステップｂ１）し、通常モードであれば、省電力モードへ移行するまでの時間を省電力タイマにセットする（ステップｂ２）。  
制御部１０１は、省電力タイマが経過したか確認し、まだ経過していない場合（ステップｂ３のNO）に、省電力タイマのセット後から所定時間待機し、その間に操作部１０９に対するキー操作が行われたかどうかを確認する（ステップｂ５）。  
ステップｂ５にてキー操作が行われた場合、制御部１０１（装置状態監視部１１２）は、設定記憶領域１１３の入力操作に対する処理動作の設定領域を読み込む（ステップｂ９）。  
装置状態監視部１１２は、姿勢検出センサ１１０からの姿勢に関する情報を取得し、必要に応じて補正する（ステップｂ１０）。  
その後、制御部１０１は、設定情報に基づき動作し、操作された時点の姿勢を通常モードの姿勢とするように設定情報を書き換える（ステップｂ１１）。これにより、使用者がキー操作を行なった領域の動作モードが、常に通常モードへ切り替えられる。その後、再びステップｂ２へもどり省電力モードまでのタイマセットを行う。  
尚、ステップｂ５においてキー操作がない場合は、ステップｂ６、ｂ７、ｂ８と移行し、設定情報に基づき、現在の姿勢に基づいた動作モードに移行する。
【００９３】
以上説明したように、制御部１０１及び装置状態監視部１１２を動作させることによって、実施例２の携帯端末装置２００は、入力操作により、携帯端末装置２００の姿勢が常に通常モードへ自動的に切り替わる。
【００９４】
これは、例えば、表示画面が上向き或いは下向きの使用状態に姿勢が変移すると省電力モードに移行する携帯端末装置であっても、入力操作が成された姿勢の向きを自動的に通常モードに設定するため、使用者の操作状況の変化にも直ぐに追従できる使い勝手の良いものとできる。即ち、操作部１０９への入力操作が所定時間の間隔で続く限り、携帯端末装置２００をどの様な角度としても通常モードを維持できる。
【００９５】
また、所定の入力操作と、別の入力操作との間に変移した姿勢と変移にかかった時間を考慮しても良い。このように設定すれば、複数回の入力操作の間に、ゆっくりと姿勢を変化させても、通常モードのまま維持可能となる。他方、姿勢が短時間に一定以上変移した場合は、通常の処理動作とすれば良い。また、使用するアプリケーション毎に所定の時間を定めると効果的な省電力を実現できる。
【実施例３】
【００９６】
次に、実施例３を示し、本発明を説明する。  
実施例１の携帯端末装置１００の説明では、縦方向の傾きでの姿勢変化に起因する動作を説明したが、実施例３の携帯端末装置３００では、横方向の傾きでの姿勢変化にも対応する処理動作を説明する。
【００９７】
実施例３における携帯端末装置３００は、表示部１０８を横向きに表示する機能を有する。また、実施例１の携帯端末装置１００がＸ軸の傾きを検出して動作したのに対し、携帯端末装置３００は、Ｘ軸に加えＹ軸の出力を用いて動作する点で異なる。  
即ち、実施例３の携帯端末装置３００は、縦向きと共に横向き表示についての省電力動作に対応できるようにしたものである。  
図２４及び図２５は、実施例３における設定情報を示す説明図である。  
携帯端末装置３００には、記憶設定領域１１３にＹ軸の姿勢変化を検出可能とする設定領域が設けられ、設定情報として、横向きに使用するときの姿勢に対する動作モードの設定が記憶されている。
【００９８】
設定情報には、縦方向の設定値θ１、θ２及びヒステリシスαに加え、横方向用の角度設定値θ３、θ４及びヒステリシスβが記憶される。尚、実施例３の説明では、それぞれの領域を、縦方向の領域Ａ、領域Ｂとし、横方向を領域Ｃ、領域Ｄとしている。
【００９９】
その他の携帯端末装置３００の構成及び動作については、実施例１の携帯端末装置１００と同様であるため、説明を簡略化又は省略して記載する。
【０１００】
次に、実施例３の携帯端末装置における動作について、図２６を用いて説明する。尚、横方向の動作については、基準平面を読み替えれば実施例１とほぼ同様であるため詳細な説明を省略する。
【０１０１】
図２６は、実施例３におけるＸＺ平面を示す説明図である。尚、図２４及び図２５に記載した設定情報は、使用者が図２６の右方向から使用ことを想定した値である。  
携帯端末装置３００は、表示部１０８に表示する画面の向きを検出し、当該向きを姿勢に関する情報の一部として利用する。即ち、携帯端末装置３００の画面の向きが横向きの場合に、Ｙ軸の回転を検出した姿勢に関する情報を使用して省電力処理を行う。
【０１０２】
図２６に示された携帯端末装置３００は、表示面を上にして水平方向に置かれた状態をθｙ＝０°としてここでは扱う。領域Ｃは、設定値θ３から設定値θ４までの範囲（−θ３＜θｙ＜θ４）を示す。領域Ｄは、設定値θ４から１８０°までと−１８０°から−θ３までの範囲（θ４＜θｙ＜１８０°、−１８０°＜θｙ＜−θ３）を示す。θｙは−１８０°から１８０°までの値とし、θ３、θ４は正の値である。  
携帯端末装置３００では、領域Ｃと領域Ｄの変化点にヒステリシスβを加味しても良い。この場合、領域Ｃから領域Ｄへの変化点はＨ７およびＨ８となり、領域Ｄから領域Ｃへの変化点はＨ５およびＨ６となる。ヒステリシスβを設定することでこの区間において領域Ｃ、領域Ｄの動作モードの変更が安定する。  
このような携帯端末装置３００の状態で、携帯端末装置３００の設定記憶領域１１３に記憶されている設定情報に基づき、展開状態で領域Ｃから領域Ｄの状態に変化すると省電力モードとなる。他方、補正や設定の書換えなどで設定情報が、領域Ｃに省電力モード、領域Ｄに通常モードが設定されていた場合は、領域Ｄから領域Ｃの状態に変化すると省電力モードとなる。
【０１０３】
以上説明したように、携帯端末装置３００では、他の実施例の効果に加え、表示部１０８に表示する画面の向きに合わせて、Ｘ軸及びＹ軸の回転を加味した姿勢に基づく省電力制御を行なえる。即ち、縦スタイルや横スタイルなどの画面の表示向きを姿勢として取り込み、使用者の使用の意図を推定することで、使用態様に合致させた省電力機能を発揮できる。
【実施例４】
【０１０４】
次に、第４の実施例を示し、本発明を説明する。  
実施例４における携帯端末装置４００は、他の実施例の携帯端末装置に対し、電源部１０４に接続される電源としてバッテリ（２次電池）と燃料電池を有し、当該燃料電池の傾きと省電力機能を関連付けて動作する点で異なる。
【０１０５】
その他の携帯端末装置の構成及び動作については他の実施例の携帯端末装置と同様であるため、説明を簡略化又は省略して記載する。尚、記憶設定領域１１３に記憶されている設定情報には、燃料電池の傾きに対応する発電量（発電可能量）や携帯電話の姿勢と燃料電池の傾き、燃料量を対応付ける情報等が追加で記憶されている。
【０１０６】
携帯端末装置４００の制御部１０１（装置状態監視部１１２）は、検出した姿勢検出センサ１１０の出力と、設定記憶領域１１３に記録されている設定情報に基づき、燃料電池の発電量を推定し、使用可能な電力量を算出し、算出した範囲内に収まるように省電力機能を制御する。
【０１０７】
また、携帯端末装置４００の制御部１０１が、燃料電池の発電量を制御可能な燃料電池を用いる場合は、省電力制御した携帯装置端末４００の必要電力（消費電力）に対応付けで燃料電池の発電量を調整する制御を行なっても良い。
【０１０８】
また、携帯端末装置４００は、携帯端末装置４００の姿勢と燃料電池の姿勢対応付ける設定情報や、所定のアプリケーションプログラムを使用するときの推定消費電力値を記録した設定情報、推定使用時間を記録した設定情報を記憶するようにしても良い。尚、推定使用時間とは、充電や燃料の補給までの過去の時間的間隔や、アプリケーションの使用時間などが記録される。
【０１０９】
このような設定情報を用いれば、例えば、表示画面を横向きに表示すると共に、テレビ機能を発揮するプログラムを使用した場合に、制御部１０１は、姿勢検出センサ１１０の出力値を用いて、燃料電池の姿勢を推定して発電可能量を識別する。制御部１０１は、識別した値と残バッテリ量の値を用いて、必要性が少ない機能から省電力制御する。また、必要に応じて、省電力制御した後に必要となる電力量に基づき、燃料電池の発電量を増減させるように制御しても良い。このとき、推定使用時間の設定情報を用いて制御すれば、使用者の操作状況や使用状況の変化にも追従できる使い勝手の良い携帯端末装置を提供できる。
【０１１０】
以上、実施の形態及び実施例を用いて説明したように、本発明を適用した携帯情報処理装置は、姿勢を検出可能とする姿勢検出部を用いて、優れた省電力機能を実現できる。即ち、本発明によれば、姿勢を検出可能とする姿勢検出部を用いて、優れた省電力機能を実現した携帯情報処理装置及び携帯情報処理装置の制御方法を提供できる。
【０１１１】
尚、上記実施の形態及び実施例では、携帯情報処理装置の各部の制御をハードウェアによる制御として記載さたが、各部の制御をソフトウェアによって実現しても良い。即ち、ＲＡＭ上に、装置状態を監視するプログラムとして、姿勢を検出するプログラムや、補正するプログラム、各省電力機能を制御するプログラムなどを展開する。制御部は、各種プログラムに基づいて、上記実施の形態及び実施例で説明した各部を機能させる。また、制御部は、ＲＡＭ等に記憶されている設定情報と姿勢に関する情報に基づいて、省電力機能を制御する。
【０１１２】
また、本発明の具体的な構成は前述の実施の形態に限られるものではなく、この発明の要旨を逸脱しない範囲の変更があってもこの発明に含まれる。
【産業上の利用可能性】
【０１１３】
本発明は、加速度センサ（重力センサ）を備え、且つ、省電力機能を有する携帯型の情報処理装置に好適である。具体的には、携帯端末装置である携帯電話、ＰＨＳ、ＰＤＡ、携帯型パソコン等に使用可能である。
【符号の説明】
【０１１４】
１      携帯情報処理装置
１０    制御部
２０    省電力機能部
２１    姿勢検出停止部
２２    姿勢検出補正部
３０    姿勢検出部
４０    記憶部
５０    入力部
６０    出力部
７０    電源部
１００  携帯端末装置
１０１  制御部
１０２  無線部
１０３  アンテナ部
１０４  電源部
１０５  送話部
１０６  受話部
１０７  スピーカ
１０８  表示部
１０９  操作部
１１０  姿勢検出センサ
１１１  記憶部
１１２  装置状態監視部
１１３  設定記憶領域
【図１】
2010262341.tif 000003
【図２】
2010262341.tif 000004
【図３】
2010262341.tif 000005
【図４】
2010262341.tif 000006
【図５】
2010262341.tif 000007
【図６】
2010262341.tif 000008
【図７】
2010262341.tif 000009
【図８】
2010262341.tif 000010
【図９】
2010262341.tif 000011
【図１０】
2010262341.tif 000012
【図１１】
2010262341.tif 000013
【図１２】
2010262341.tif 000014
【図１３】
2010262341.tif 000015
【図１４】
2010262341.tif 000016
【図１５】
2010262341.tif 000017
【図１６】
2010262341.tif 000018
【図１７】
2010262341.tif 000019
【図１８】
2010262341.tif 000020
【図１９】
2010262341.tif 000021
【図２０】
2010262341.tif 000022
【図２１】
2010262341.tif 000023
【図２２】
2010262341.tif 000024
【図２３】
2010262341.tif 000025
【図２４】
2010262341.tif 000026
【図２５】
2010262341.tif 000027
【図２６】
2010262341.tif 000028
【図２７】
2010262341.tif 000029